(57)【要約】【課題】  カメラヘッドとカメラ本体とが別体であっても、カメラ本体側のレリーズ操作に応じてカメラヘッド側の撮像素子でレリーズ操作時の被写体が的確に捉えられるカメラシステムを提供する。【解決手段】  レリーズ釦１３ｂの半押しに応じたレリーズ信号ＳＰ１と全押しに応じたレリーズ信号ＳＰ２をヘッドＣＰＵ１９ａへ供給するための２本の専用線１Ａ，１Ｂを設ける。その他の信号は３線シリアルドライバ１５１ａ，１５１ｂにより駆動されるシリアルインターフェースを介して伝えるようにして、レリーズ信号のみを専用線１Ａ，１Ｂでカメラ本体１ｂからカメラヘッド１ａへ伝えるようにする。【選択図】  図２
2006174386.tif 000002
【特許請求の範囲】
【請求項１】
撮影光学系と撮像素子を備えたカメラヘッドと、該カメラヘッドとの間で信号の入出力を行なうインターフェースを介して該カメラヘッドから画像信号を受け取って信号処理を行なうカメラ本体とを備えたカメラシステムにおいて、
前記カメラヘッドが、第１のＣＰＵと、該第１のＣＰＵにより制御されることによって前記撮像素子に電子シャッターのシャッタスピードに応じた露光開始信号および露光終了信号を供給するタイミングジェネレータとを備え、
前記カメラ本体が、第２のＣＰＵと該第２のＣＰＵに撮影開始の合図を伝えるレリーズ釦とを備え、
前記レリーズ釦の押下に応じて前記第２のＣＰＵにレリーズ信号が供給されるときに前記カメラヘッドの前記第１のＣＰＵに前記レリーズ信号を供給する、前記カメラ本体と該カメラヘッドとを結ぶ専用線を設けたことを特徴とするカメラシステム。
【請求項２】
前記レリーズ釦は、撮影準備を指示する半押しと撮影を指示する全押しという２つの操作態様を有するものであって、
前記カメラ本体は、前記半押しに応じたレリーズ信号を前記インターフェースを介してカメラヘッド側に伝えるとともに、前記全押しに応じたレリーズ信号を前記専用線でカメラヘッド側に伝えるものであることを特徴とする請求項１記載のカメラシステム。
【請求項３】
前記カメラヘッドは、前記半押しに応じたレリーズ信号を受信するよりも前に前記全押しに応じたレリーズ信号を受信したときは、該全押しに応じたレリーズ信号を受信したことをもって、撮影準備を行なうとともに引き続き撮影を行なうものであることを特徴とする請求項２記載のカメラシステム。
【請求項４】
前記レリーズ釦は、撮影準備を指示する半押しと撮影を指示する全押しという２つの操作態様を有するものであって、
前記カメラ本体は、前記半押しに応じたレリーズ信号と前記全押しに応じたレリーズ信号との双方を、前記専用線で、互いに区別可能な形式でカメラヘッド側に伝えるものであることを特徴とする請求項１記載のカメラシステム。
【発明の詳細な説明】
【技術分野】
【０００１】
本発明は、撮影光学系と撮像素子を備えたカメラヘッドと、そのカメラヘッドが着脱自在に装着されそのカメラヘッドから画像信号を受け取って信号処理を行なうカメラ本体とを備えたカメラシステムに関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なって貰うことができる。
【０００３】
同様なものに、撮影光学系と撮像素子を備えたカメラヘッドと、カメラヘッドが着脱自在に装着されカメラヘッドから画像信号を受け取って信号処理を行なうカメラ本体とを備えたカメラシステムがある（例えば特許文献２参照）。
【０００４】
ところで、カメラヘッドとカメラ本体とを備えたカメラシステムにおいては、カメラ本体側にレリーズ釦が配備されカメラヘッド側に撮像素子が配備されるものが多い。そうすると、カメラ本体側のレリーズ釦が全押し操作されたときにカメラヘッド側の撮像素子にレリーズ釦の全押しに応じたレリーズ信号がカメラヘッドとカメラ本体との間のインターフェースを介して伝達されて撮像素子の露光が開始されることになる。このようなインターフェースとしては、現在カメラ本体とカメラヘッドとの間において撮影に必要な情報の交換を行なうことができるような双方向通信用のシリアルインターフェース（ＳＩＦ）等が用いられている。このようなインターフェースを用いる場合には、部品点数の削減の観点から撮影動作に必要な信号のうちの一つであるレリーズ信号を含めて制御信号すべてがそのインターフェースを用いてカメラヘッドからカメラ本体へ、あるいはカメラ本体からカメラヘッドへ供給されるように構成される。
【０００５】
しかしながら、レリーズ釦が全押しされたタイミングでカメラ本体からカメラヘッドの撮像素子に向けて上記インターフェースを介してレリーズ信号を供給しようとしているときにそのインターフェースが使用中であった場合にはそのインターフェースの使用が終了した後でレリーズ信号が供給されることになる。このため、レリーズ釦が押下されたときのタイミングと、そのタイミングとほぼ同じタイミングであるはずの露光開始タイミングとの間にタイムラグが生じてしまう。このタイムラグが大きくなればなるほど、撮像素子での露光開始時刻がレリーズ操作時刻に比べて遅れてしまって、撮影者が撮ろうとしていたレリーズ操作タイミングで被写体を捉えることができずに少し遅れたタイミングで被写体を捉えることになってしまう。静止している被写体を撮影する場合にはさほど影響はないが、動きのある被写体を撮影しようとする場合にこのようなタイムラグが発生すると、シャッタチャンスに捉えようとした被写体が動いた後の被写体の撮影を行なうことになってしまう。
【特許文献１】特開平８−１７２５６１号公報
【特許文献２】特開２０００−１７５０８９号公報
【発明の開示】
【発明が解決しようとする課題】
【０００６】
本発明は、上記事情に鑑み、カメラヘッドとカメラ本体とが別体であっても、カメラ本体側のレリーズ操作に応じてカメラヘッド側の撮像素子でレリーズ操作時の被写体が的確に捉えられるカメラシステムを提供することを目的とする。
【課題を解決するための手段】
【０００７】
上記目的を達成する本発明のカメラシステムは、撮影光学系と撮像素子を備えたカメラヘッドと、そのカメラヘッドとの間で信号の入出力を行なうインターフェースを介してそのカメラヘッドから画像信号を受け取って信号処理を行なうカメラ本体とを備えたカメラシステムにおいて、
上記カメラヘッドが、第１のＣＰＵと、その第１のＣＰＵにより制御されることによって上記撮像素子に電子シャッターのシャッタスピードに応じた露光開始信号および露光終了信号を供給するタイミングジェネレータとを備え、
上記カメラ本体が、第２のＣＰＵとその第２のＣＰＵに撮影開始の合図を伝えるレリーズ釦とを備え、
上記レリーズ釦の押下に応じて上記第２のＣＰＵにレリーズ信号が供給されるときに上記カメラヘッドの上記第１のＣＰＵにも上記レリーズ信号を供給する、上記カメラ本体とそのカメラヘッドとを結ぶ専用線を設けたことを特徴とする。
【０００８】
上記カメラシステムによれば、上記レリーズ釦の押下に応じて上記カメラヘッドが備える上記第２のＣＰＵに上記専用線を経由して撮影開始の合図を伝えるレリーズ信号が供給され、その第2のＣＰＵにより制御される上記タイミングジェネレータから上記撮像素子に向けて上記レリーズ釦の押下に応じたタイミングで露光開始信号が供給され、その後電子シャッターのシャッタスピードに応じた露光終了信号が供給される。
【０００９】
以上の如く、上記レリーズ釦の押下に応じて上記レリーズ信号が上記専用線で上記第２のＣＰＵに供給され上記撮像素子に露光開始信号がいち早く供給されるようになるので、カメラヘッドとカメラ本体とが別体であっても、カメラ本体側のレリーズ操作に応じてカメラヘッド側の撮像素子でレリーズ操作時の被写体が的確に捉えられるカメラシステムが実現される。
【００１０】
上記レリーズ釦は、撮影準備を指示する半押しと撮影を指示する全押しという２つの操作態様を有するものであって、
上記カメラ本体は、上記半押しに応じたレリーズ信号を、上記インターフェースを介してカメラヘッド側に伝えるとともに、全押しに応じたレリーズ信号を上記専用線でカメラヘッド側に伝えるものであることが好ましい。
【００１１】
このように上記半押しに応じたレリーズ信号を上記インターフェースを介して上記カメラヘッド側に伝えるとともに、上記全押しに応じたレリーズ信号を上記専用線で上記カメラヘッド側に伝えるものであると、上記全押しに応じたレリーズ信号が上記専用線で上記第２のＣＰＵにいち早く伝えられそのいち早くレリーズ信号が伝えられた第２のＣＰＵによって上記タイミングジェネレータが制御され露光開始信号が上記タイミングジェネレータから上記撮像素子へ全押しタイミングとほぼ同時に供給される。
【００１２】
また半押しに応じたレリーズ信号についてはいままでどおり上記インターフェースを介して供給するようにしてあるので、上記専用線を一本追加するという簡単な改良により上記課題が達成され、さらには低廉化が図れるという効果も得られる。
【００１３】
ただし、このような構成にすると、上記専用線により伝えられる全押しに応じたレリーズ信号の方が上記インターフェースにより伝えられる半押しに応じたレリーズ信号の方よりもカメラヘッド側の第２のＣＰＵに速く伝えられてしまう場合が出てくる。
【００１４】
そこで上記カメラヘッドが、上記半押しに応じたレリーズ信号を受信するよりも前に上記全押しに応じたレリーズ信号を受信したときは、その全押しに応じたレリーズ信号を受信したことをもって、撮影準備を行なうとともに引き続き撮影を行なうものであると良い。
【００１５】
このようにしておくと、レリーズ釦の一気押しが行なわれたときであっても、撮影準備にあたるピント調整および露出調整を終了した後、全押しタイミングに最も近いタイミングで被写体が捉えられ撮影が行なわれるようになる。
【００１６】
さらに、上記レリーズ釦は、撮影準備を指示する半押しと撮影を指示する全押しという２つの操作態様を有するものであって、
上記カメラ本体は、上記半押しに応じたレリーズ信号と上記全押しに応じたレリーズ信号との双方を、上記専用線で、互いに区別可能な形式でカメラヘッド側に伝えるものであることが好ましい。
【００１７】
上記カメラ本体が、上記半押しに応じたレリーズ信号と上記全押しに応じたレリーズ信号との双方を、上記専用線で、互いに区別可能な形式でカメラヘッド側に伝えるようになると、上記のように全押しと半押しの順序が逆転することがなくなり、双方のレリーズ信号とも順序良くかつ迅速にカメラヘッド側のＣＰＵに伝えられるようになる。
【発明の効果】
【００１８】
以上、説明したように、カメラヘッドとカメラ本体とが別体であっても、カメラ本体側のレリーズ操作に応じてカメラヘッド側の撮像素子でレリーズ操作時の被写体が的確に捉えられるカメラシステムが実現される。
【発明を実施するための最良の形態】
【００１９】
以下、本発明の実施の形態について説明する。
【００２０】
図１は、本発明の一実施形態であるカメラシステムを示す図である。
【００２１】
図１を参照してまず本実施形態のカメラシステムの外観を説明する。
【００２２】
図１に示すように本実施形態のカメラシステム１は、カメラヘッド１ａとカメラ本体１ｂとを備える。図１には、撮影光学系と撮像素子を備えたカメラヘッド１ａと、そのカメラヘッド１ａが着脱自在に装着されカメラヘッド１ａから画像信号を受け取って信号処理を行なうカメラ本体１ｂとが示されている。
【００２３】
カメラ本体１ｂの中央には、多数のマウント接点を持つヘッドマウント１０ｂが配備されている。カメラヘッド１ａ側にも同様のマウント部が構成されており、双方のマウント接点の位置がそれぞれあうように図中の一点鎖線に沿ってカメラヘッド１ａがカメラ本体１ｂに装着されると、多数のマウント接点同士が各々接続されてカメラヘッド１ａとカメラ本体１ｂとが電気的に接続される。
【００２４】
この多数のマウント接点の中のそれぞれが通信用、電力供給用にそれぞれ割り当てられていてカメラ本体１ｂ側からカメラヘッド１ａ側への通信が行なわれたり、またカメラヘッド１ａ側からカメラ本体１ｂ側への通信が行なわれたり、さらにカメラ本体１ｂ側からカメラヘッド１ａ側への電力の供給が行なわれたりする。これらのマウント接点の中にレリーズ信号を供給するための２本の専用線がそれぞれ接続される２つのマウント接点も含まれている。
【００２５】
このヘッドマウント１０ｂの上方にはＡＷＢセンサ１１ｂが配備され、そのＡＷＢセンサ１１ｂにより撮影時の光源種が検出される。この光源種とは、例えば太陽光であるか蛍光灯であるかといったようなものであり、この光源種がＡＷＢセンサ１１ｂにより検出され後述するデジタル信号処理部に適正な色温度（例えば太陽光の場合には６０００Ｋ、蛍光灯の場合には４５００Ｋ）が設定されて最適なホワイトバランスの調整が行なわれる。そのＡＷＢセンサ１１ｂの横には、閃光発光窓１２ｂが配備されており、その閃光発光窓１２ｂを通して閃光を発光する閃光発光装置がカメラ本体１ｂ内に配備されている。さらにカメラ本体１ｂのボディ上面にはレリーズ釦１３ｂとモードダイヤル１４ｂが配備されている。このモードダイヤル１４ｂによって撮影モードと再生モードとが選択され、その撮影モードにあっては、さらに静止画撮影モードであるとか、動画撮影モードであるとか、またフルマニュアル撮影モードであるとかが選択される。なお、図１には複数のカメラヘッドのうちの一つが例として、また複数の本体のうちの一つが例としてそれぞれ示されている。なおモードダイヤル１４ｂには一体的に電源スイッチも配備されており、そのモードダイヤル１４ｂの操作により電源が投入されるようになっている。
【００２６】
ここで図２を参照してカメラヘッド１ａとカメラ本体１ｂの内部の構成を説明する。
【００２７】
図２はカメラヘッド１ａがカメラ本体１ｂに装着された状態にあるときの電気系統の構成を示すブロック図である。
【００２８】
図２の上方側にはカメラヘッド１ａの構成が、また図２の下方側にはカメラ本体１ｂの構成がそれぞれ示されている。
【００２９】
まず、カメラヘッド１ａ側の構成を説明する。
【００３０】
本実施形態のカメラシステム１を構成するカメラヘッド１ａは、カメラ本体１ｂに装着されてカメラ本体１ｂ側のバッテリＢｔから電力の供給を受けて動作するものである。この実施形態においてはカメラヘッド１ａ側の電源制御部１００ａおよびＤＣ／ＤＣコンバータ１０１ａはカメラ本体１ｂ側の電源制御部１４０ｂに制御される。また、カメラ本体側の電力制御部１４０ｂには電源スイッチ１４ｂからの操作信号やカメラヘッド１ａが装着されたときにカメラヘッド１ａからマウント接点を介してグランド信号が供給されるようになっており、これらの信号が供給されると電源制御部１４０ｂはラッチ部１６０ｂの内容を書き換えることにより本体ＣＰＵ１００ｂが備えるＩ／Ｏ部１６１ｂの内容をリアルタイムに書き換えているため、カメラ本体側の動作を制御する本体ＣＰＵ１００ｂはいつでも電源制御部の制御内容を把握して最適な制御を行なうことができるようにもなっている。
【００３１】
図２に示すようにこのカメラシステム１を構成するカメラヘッド１ａには、撮影光学系１１ａと撮像素子（ここではＣＣＤ固体撮像素子が用いられているので以下ＣＣＤという）１２ａとが備えられている。その撮影光学系１１ａ内には撮影レンズや絞りなどが配備されている。その撮影光学系１１ａ内の撮影レンズで被写体をＣＣＤ１２ａに結像させて、ＣＣＤ１２ａで画像データの生成を行なっている。このＣＣＤ１２ａで生成した画像データをアナログ信号処理部１３ａに出力してそのアナログ信号処理部１３ａでノイズ低減の処理などを行なった後、後段のＡ／Ｄ部１４ａでアナログ信号の画像信号をデジタル信号の画像信号に変換して高速シリアルドライバ１５０ａに供給している。この高速シリアルドライバ１５０ａにより駆動される高速シリアルインターフェースによってカメラ１ｂ本体側にデジタル信号になった画像信号が送信される。勿論、この高速シリアルインターフェースを駆動する高速シリアルドライバ１５０ｂがカメラ本体１ｂ側にも配備されていて双方のドライバによって高速シリアルインターフェースが駆動される。この高速シリアルインターフェースを通ってカメラ本体１ｂに供給される画像信号の中には、モードダイヤル１４ｂによっていずれかの撮影モードが選択された状態にあるときに撮影光学系内の撮影レンズが捉えた被写体をＬＣＤパネル（図示せず）上に表示するためのスルー画用の画像信号（以下スルー画信号という）やその撮影モードの中の静止画撮影モードが選択された状態にあるときにレリーズ釦１３ｂの操作により得られる静止画像を表す画像信号（以下静止画信号という）やその撮影モードの中の動画モードが選択された状態にあるときにレリーズ釦１３ｂの操作により得られる動画を表す画像信号（以下動画信号という）の３通りの画像信号がある。これらの画像信号のうちのいずれかがカメラ本体１ｂ側からの要求によって高速シリアルインターフェースを通ってカメラ本体側に送信される。
【００３２】
一方、Ａ／Ｄ部１４ａでデジタル信号に変換された画像信号はＡ／Ｄ部１４ａの後段に設けられた積算回路１６ａにも供給されている。この積算回路１６ａはＡＦ機能（以下ＡＦという）およびＡＥ機能（以下ＡＥという）を果たすものであって、この積算回路１６ａによってＡＥ機能を働かせるための被写界輝度の測定やＡＦ機能を働かせるための被写体距離の測定が行なわれている。その積算回路１６ａで測定された被写体距離や被写界輝度がデータバス１９２ａを介して絞り／フォーカス／ズーム制御部１７ａに供給され、その絞り／フォーカス／ズーム制御部１７ａによって撮影光学系内の絞りの径が調節されたり、撮影光学系内のフォーカスレンズの位置が調節されたりする。このようにしておくとこのカメラヘッド１ａが備える撮影光学系内のレンズが異なる被写体に向けられる度にＡＦやＡＥが働きすぐにピントや輝度の調整が行なわれてピントの合った被写体を表す画像データがＣＣＤ１２ａで生成されＣＣＤ１２ａから出力される。
【００３３】
これらのＣＣＤ１２ａ、アナログ信号処理部１３ａ、Ａ／Ｄ部１４ａ、積算回路１６ａはタイミングジェネレータ（以下ＴＧという）１８ａからのタイミング信号に同期して動作するものであり、そのＴＧ１８ａの動作は本発明にいう第２のＣＰＵにあたるヘッドＣＰＵ１９ａによって制御されている。このヘッドＣＰＵ１９ａはシステムメモリ１９０ａ内に格納されているプログラムの手順にしたがってＴＧ１８ａや絞り／フォーカス／ズーム制御部１７ａなどの制御を行なうものであって、そのシステムメモリ１９０ａ内には、初期化の処理手順やＡＥ処理やＡＦ処理についての処理手順やシリアルインターフェースでの通信についての処理手順などを示すソフトウエアが格納されている。このソフトウエアの中には、モードダイヤルによって撮影モードが選択され、さらに静止画撮影モードが選択されたときに起動されるスルー画処理に関するソフトウエアや静止画処理に関するソフトウエア、また動画撮影モードが選択されたときに起動される動画処理に関するソフトウエアなどもある。これらの処理手順にしたがって、このカメラヘッドの初期化や、その初期化が行なわれた後の各部の信号処理動作がヘッドＣＰＵ１９ａによって制御されている。この各部の動作の中には、積算回路１６ａの動作やＴＧ１８ａの動作や不揮発性メモリ１９１ａのリードライト動作や３線シリアルドライバ１５１ａの動作や高速シリアルドライバ１５０ａの動作などもある。
【００３４】
また、不揮発性メモリ１９１ａには、カメラヘッド１ａ用のコンフィギュレーション情報および信号処理ソフトウエアも記憶されている。カメラ本体１ｂからコンフィギュレーション情報の送信の要求を表すコマンドが３線シリアルインターフェースを経由して送信されてきたら、その不揮発性メモリ１９１ａ内のコンフィギュレーション情報が３線シリアルインターフェースを経由してカメラ本体１ｂに送信される。カメラ本体１ｂ側にも３線シリアルインターフェースを駆動する３線シリアルドライバ１５１ｂが配備されており、双方のドライバで駆動されるシリアルインターフェースによってカメラ本体１ｂからカメラヘッド１ａへ、あるいはカメラヘッド１ａからカメラ本体１ｂへのコマンドのやり取りが行なわれている。前述したコンフィギュレーション情報の送信の要求のほか、例えばカメラ本体１ｂから画像信号の送信の要求に対応するコマンドが３線シリアルインターフェースを経由して送信されてきた場合には、その３線シリアルインターフェースよりも高速の高速シリアルインターフェースによってデジタル信号になった画像信号がカメラ本体１ｂへ送信される。
【００３５】
このようなカメラヘッド１ａがカメラ本体１ｂに装着されてカメラシステム１が構成されそのカメラシステム１で撮影が行なわれる。
【００３６】
ここから、カメラヘッド１ａが装着された状態にあるときのカメラ本体１ｂの動作を説明する。
【００３７】
カメラ本体１ｂの動作はシステムメモリ１０１ｂ内のプログラムの手順にしたがって本発明にいう第１のＣＰＵにあたる本体ＣＰＵ１００ｂによって統括的に制御されている。この本体ＣＰＵ１００ｂにより制御されているカメラ本体１ｂに上記カメラヘッド１ａが装着され電源が投入されたらこのカメラシステムの撮影準備がまず整えられる。
【００３８】
この実施形態のカメラシステム１では、電源が投入されたら先ずカメラ本体１ｂ側からスルー画信号の送信の要求を表すコマンドが３線シリアルドライバ１５１ｂにより駆動されるシリアルインターフェースを通してカメラヘッド１ａに送信され。カメラヘッド１ａ側のヘッドＣＰＵ１９ａではそのスルー画の送信の要求を受けて、スルー画信号が高速シリアルドライバ１５０ａによって駆動される高速シリアルインターフェースを通してカメラ本体１ｂへ送信される。この高速シリアルインターフェースを通ってカメラ本体１ｂに送信されてくるスルー画信号が、デジタルデジタル信号処理部１０３ｂに供給され、このデジタルデジタル信号処理部１０３ｂによってカメラヘッドのコンフィギュレーションに応じた信号処理が施された後、フレームメモリ１０４ｂに記憶される。このフレームメモリ１０４ｂに記憶されたＹＣ信号がＬＣＤ制御部１０５ｂに供給され、そのＬＣＤ制御部１０５ｂによってＬＣＤ１０５０ｂのパネル上にスルー画が表示される。
【００３９】
このスルー画を見ながらレリーズ釦１３ｂが押されたときには、本体ＣＰＵ１００ｂおよびヘッドＣＰＵ１９ａとの双方にレリーズ信号が供給される。このカメラシステムを構成するカメラ本体１ｂが備えるレリーズ釦１３ｂは、半押し、全押しの２つの操作態様を持つものであるので、半押しに応じたレリーズ信号ＳＰ１と全押しに応じたレリーズ信号ＳＰ２の２種類のレリーズ信号がカメラヘッド側に供給される。その供給を受けたカメラヘッド側は、半押しに応じたレリーズ信号ＳＰ１のタイミングで積算回路１６ａにピント調整および露出調整を行なわせ、全押しに応じたレリーズ信号のタイミングでＣＣＤ１２ａに露光を開始させる。
【００４０】
これらのレリーズ信号のタイミングは非常に大事なものであるので、ここでは、カメラヘッド１ａ側に即時に双方のレリーズ信号ＳＰ１，ＳＰ２が供給されるように、２本の専用線１Ａ、１Ｂを設けて対応している。図２に示すようにカメラ本体側のレリーズ釦１３ｂが半押しされたときには半押しに応じたレリーズ信号ＳＰ１を専用線１ＡでヘッドＣＰＵ１９ａに伝えることにより、ヘッドＣＰＵ１９ａの制御の基、積算回路１６ａにピント調整および露出調整をいち早く行なわせて、さらにレリーズ釦１３ｂが全押しされたときには専用線１Ｂで全押しに応じたレリーズ信号ＳＰ２をヘッドＣＰＵ１９ａにいち早く伝えることにより、ヘッドＣＰＵ１９ａの制御の基、ＴＧ１８ａからＣＣＤ１２ａに向けてレリーズ釦の押下操作とほぼ同時のタイミングで露光開始信号を供給させるようにしている。なお上記ＴＧ１８ａはシャッタスピードをＣＣＤ１２ａに設定するものであるので、そのＴＧ１８ａに露光開始信号を供給させ、所定の時間を経過したら露光終了信号も供給させるようにしている。また図１に示すマウント接点の中に専用線１Ａ、１Ｂを中継する中継接点が設けられている。
【００４１】
このようにしておくと、タイムラグが発生することなく、半押しに応じたレリーズ信号ＳＰ１に同期してピント調整および露出調整が行なわれ、全押しに応じたレリーズ信号ＳＰ２に同期してＣＣＤ１２ａでいち早く露光が開始されるようになる。
【００４２】
その後、シャッタスピードに応じた時間が経過したら、ヘッドＣＰＵ１９ａが、露光終了信号をＴＧ１８ａからＣＣＤ１２ａへ供給させてＣＣＤ１２ａに全画素データからなる静止画信号をアナログ信号処理１３ａへ出力させている。
【００４３】
そうしたら、ヘッドＣＰＵの制御の基、アナログ信号処理部１３ａに出力させた静止画信号が、アナログ信号処理部１３ａからＡ／Ｄ部１４ａ、高速シリアルインターフェース１５０ａを通ってデジタルデジタル信号処理部１０３ｂに供給され、さらにそのデジタル信号処理部１０３ｂでＪＰＥＧ圧縮されたＪＰＥＧファイルがカードＩ／Ｆ１０６ｂを介して、メモリカードスロット１０７ｂに装填されたメモリカード１０８ｂに記憶される。モードダイヤル１４ｂが動画モードになっているときにはレリーズ釦１３ｂの操作に応じて動画処理プログラムが起動され、動画信号が所定の時刻ごとに高速シリアルインターフェースを通ってデジタル信号処理部１０３ｂに供給され、モーションＪＰＥＧあるいはＭＰＥＧ圧縮が行なわれてメモリカード１０８ｂに記録される。
【００４４】
本発明には直接関係ないが、タイマ処理用のタイマ１１０ｂやカレンダ時計部１１１ｂなども配備されており、例えばＬＣＤ制御部１０５ｂにカレンダ時計部からカレンダデータが供給されると、ＬＣＤ１０５０ｂのパネル上に被写体とともに時計やカレンダが表示されたりする。また、ＬＣＤパネル上に文字を表示するためのＯＳＤ（Ｏｎ  Ｓｃｒｅｅｎ  Ｄｉｓｐｌａｙ）１０５１ｂも配備されている。さらにカメラ本体１ｂはＵＳＢコネクタ１３０ｂを有しており、そのＵＳＢコネクタ１３０ｂを介してパーソナルコンピュータなどが接続されるとＵＳＢドライバＵ１３１ｂによりＵＳＢが駆動されて画像信号がパーソナルコンピュータに転送される。また、図１に示した閃光発光窓１２ｂから閃光を発光する閃光部１２１ｂと閃光制御部１２０ｂとからなる閃光発光装置やカメラ本体の背面側にあるスイッチ／ＬＥＤ１３２ｂなどがＩ／Ｏ１３３ｂを介して本体ＣＰＵ１００ｂに制御されて動作する構成になっている。
【００４５】
以上説明したように、カメラヘッド１ａとカメラ本体１ｂとが別体であっても、カメラ本体側のレリーズ操作に応じてカメラヘッド側のＣＣＤで的確に被写体が捉えられるカメラシステムが実現される。
【００４６】
図３は、第2の実施形態であるカメラシステムの内部の構成を示す図である。
【００４７】
第１の実施形態では、半押しに応じたレリーズ信号ＳＰ１と全押しに応じたレリーズ信号ＳＰ２との双方を２本の専用線１Ａ，１Ｂでカメラヘッド１ａ側に伝えるものであったが、第２の実施形態では、専用線１Ｃを全押しに応じたレリーズ信号ＳＰ２を供給するための線１本にして、半押しに応じたレリーズ信号を３線シリアルドライバ１５１ａ，１５１ｂにより駆動されるシリアルインターフェースにより供給するように変更している。
【００４８】
このようにすると、専用線１Ｃが一本になるので、第１の実施形態よりも部品点数が減り、低廉化を図ることができる。また、全押しに応じたレリーズ信号ＳＰ２がいち早く上記カメラヘッド１ａ内のヘッドＣＰＵ１９ａに伝達されそのヘッドＣＰＵ１９ａにより制御されるＴＧ１８ａから露光開始信号が全押し操作タイミングに同期してＣＣＤ１２ａに供給されるようになってレリーズ操作のタイミングとＴＧ１８ａからＣＣＤ１２ａへ供給される露光開始信号の供給タイミングとの間のタイムラグの発生が今までに比べてかなり抑制される。
【００４９】
ただし、上記のような構成にすると、上記専用線１Ｃにより伝えられる全押しに応じたレリーズ信号ＳＰ２の方がシリアルドライバ１５１ａ，１５１ｂにより駆動されるシリアルインターフェースにより伝えられる半押しに応じたレリーズ信号ＳＰ１の方よりもカメラヘッド１ａ側のＣＰＵ１９ａに速く伝えられてしまう場合が出てくる。
【００５０】
そこで本実施形態のカメラヘッド１ａは、上記半押しに応じたレリーズ信号ＳＰ１を受信するよりも前に上記全押しに応じたレリーズ信号ＳＰ２を受信したときは、その全押しに応じたレリーズ信号ＳＰ２を受信したことをもって、撮影準備を行なうとともに引き続き撮影を行なうようにしている。
【００５１】
図４は、図３に示すカメラシステム１が備えるヘッドＣＰＵ１９ａが行なうレリーズ処理の手順を示すフローチャートである。
【００５２】
ここでは、このフローの処理が開始されるまでの開始待ち状態にある状態もステップＳ４０１として示してある。
【００５３】
次のステップＳ４０２でステップＳ４０１の状態にあるときにレリーズ操作が行なわれたかどうかの判定を行なう。ステップＳ４０２で、レリーズ操作が行なわれたと判定したらＹｅｓ側に進み、レリーズ操作が行なわれていないと判定したらＮｏ側へ進みステップＳ４０２に戻る。
【００５４】
ステップＳ４０２でＹｅｓ側へ進んだらステップＳ４０３でレリーズ信号の判定を行なう。このステップＳ４０３で半押し信号ＳＰ１と全押し信号ＳＰ２との双方がＯｎ状態であるかどうかを判定して双方ともＯｎ状態であると判定したら、つまりステップＳ４０４の状態であると判定したら、ステップＳ４０５へ進み、半押しに応じたレリーズ信号ＳＰ１の供給に応じてピント調整および露出調整を積算回路に行なわせ、次にステップＳ４０５へ進み全押しに応じたレリーズ信号ＳＰ２に応じてステップＳ４０５でＴＧ１４ａを制御してＣＣＤ１２ａに露光を開始させる。次のステップＳ４０６へ進み露光が完了したらこのフローの処理を終了する。
【００５５】
ステップＳ４０３で半押しに応じたレリーズ信号ＳＰ１がＯｎ状態であって全押しに応じたレリーズ信号ＳＰ２がｏｆｆ状態であると判定したら、ステップＳ４０８からステップＳ４０９へ進み、ステップＳ４０９で半押しに応じたレリーズ信号ＳＰ１に応じて積算回路にピント調整および露出調整を行なわせることによりステップＳ４１０に示す露光準備状態となって、さらに次のステップＳ４１１へ進み半押しに応じたレリーズ信号ＳＰ１がＯｎ状態のままであるかどうかを判定する。
【００５６】
ここでＯｎ状態のままではなく、半押し状態からレリーズ釦１３ｂが開放され元の位置に復帰していると判定したらＮｏ側へ進みステップＳ４０２へ戻り、ステップＳ４０２からの処理を繰り返す。
【００５７】
ステップＳ４１１で、ＯＮ状態のままであると判定したらＹｅｓ側へ進み、ステップS４１２で全押しに応じたレリーズ信号ＳＰ２がＯＦＦ状態からＯｎ状態に遷移したかどうかを判定する。ここで、遷移していないと判定したらＮｏ側へ進みステップＳ４１０に戻ってステップＳ４１０からステップＳ４１３までの処理を繰り返す。ステップＳ４１２で全押しされたと判定したら、Ｙｅｓ側へ進み、ステップＳ４１３で本露光を開始してステップで露光が完了したらこのフローの処理を終了する。
【００５８】
また、ステップＳ４０３で半押しに応じたレリーズ信号ＳＰ１がＯＦＦ状態であって、全押しに応じたレリーズ信号ＳＰ２がＯｎ状態になっていると判定したら、つまりステップＳ４１５の状態であったら、ステップＳ４１５からステップＳ４１６へ進み、ステップＳ４１６でピント調整および露出調整を行なう。このピント調整および露出調整が完了したらステップＳ４１７へ進みこのステップＳ４１７で本露光を開始する。ステップＳ４１８へ進みステップＳ４１８で露光が完了したらこのフローの処理を終了する。
【００５９】
ステップＳ４１５からステップＳ４１８までの処理では、上記専用線１Ｃにより伝えられる全押しに応じたレリーズ信号ＳＰ２の方が３線シリアルドライバ１５０ａ，１５０ｂ（図２参照）により駆動されるシリアルインターフェースにより伝えられる半押しに応じたレリーズ信号ＳＰ１の方よりもカメラヘッド側のヘッドＣＰＵ１９ａに速く伝えられてしまう恐れがあるので、その場合の処理内容が示されている。
【００６０】
つまり、本発明にいう通り、半押しに応じたレリーズ信号ＳＰ１を受信するよりも前に全押しに応じたレリーズ信号ＳＰ２を受信したときは、その全押しに応じたレリーズ信号ＳＰ２を受信したことをもって、撮影準備を行なうとともに引き続き撮影を行なうようにしている。
【００６１】
このようにしておくと、レリーズ釦の一気押しがあった場合には、撮影準備にあたるピント調整および露出調整を終了した後、全押しタイミングに最も近いタイミングで被写体が捉えられ撮影が行なわれる。
【００６２】
なお、図４に示すフローチャートには極めて発生頻度の少ないものであるが、ありえないことはないのでステップＳ４０４からステップＳ４０７の処理が示されている。
【００６３】
また図５は、撮影モードダイヤルの中のフルマニュアルモードが指定されたときに第１、ヘッドＣＰＵ１９ａが行なうレリーズ処理の手順を示すフローチャートである。
【００６４】
このカメラシステム１は前述したようにフルマニュアルモードというモードを有しており、このフルマニュアルモードが指定されると、ピント調整および露出調整が操作環（図１には不図示である）の操作によるマニュアル設定になる。このフルマニュアルモードが指定されたときＣＰＵ１９ａは、半押しに応じたレリーズ信号ＳＰ１の供給に応じてピント調整、露出調整を行なう必要がなくなるので、全押し操作に応じたレリーズ信号ＳＰ２の処理のみを行なうようにしている。
【００６５】
まず、ステップＳ４２０で、フルマニュアルモードが指定されているか、静止画撮影および動画撮影モードを含むオートモードが指定されているかの判定を行なう。ステップＳ４２０でフルマニュアルモードが指定されていると判定したら、ステップＳ４２１を経てステップＳ４２２へ進み、半押しに応じたレリーズ信号に応じた処理を行なう必要がないので、すぐに全押しに応じたレリーズ信号ＳＰ２の供給を待つ待機状態になる。この待機状態中にステップＳ４２３で全押しに応じたレリーズ信号ＳＰ２が検出されたら、Ｙｅｓ側へ進み、ステップＳ４２４でレリーズ信号ＳＰ２に応じて本露光を開始してステップＳ４２５で露光が完了したらこのフローの処理を終了する。
【００６６】
ステップＳ４２０でオートモードが指定されていると判定したら、図４と同じフローの処理を行なう。
【００６７】
図６は、第３の実施形態であるカメラシステムの内部の構成を示す図である。
【００６８】
レリーズ釦の下方に２つのスイッチＳ１，Ｓ２からなる２段スイッチ１３０ｂを設けてその２段スイッチの分岐接点ＴＥから出力される電圧信号をカメラヘッド１ａ側に伝えるように改良している。また、カメラ本体側１ｂからカメラヘッド１ａ側へ電圧信号を伝えるように改良したので、カメラヘッド１ａ側にはその電圧信号を受信するためのＡ／Ｄコンバータ１９３ａを追加してそのＡ／Ｄコンバータ１９３ａから出力されるデジタル信号をヘッドＣＰＵ１９ａに供給するように改良している。
【００６９】
上記２段スイッチ周辺の回路構成を、図６中に示してあるＡ詳細図を参照して説明しておく。
【００７０】
図６のＡ詳細図に示すように、動作電源ＶとグランドＧＮＤとの間に３本の抵抗Ｒ１，Ｒ２，Ｒ３が接続されている。それらの３本の抵抗Ｒ１〜Ｒ３のうちの第１の抵抗Ｒ１と並列に第１のスイッチＳ１が接続されており、第２の抵抗Ｒ２と並列に第２のスイッチＳ２が接続されている。スイッチＳ１は、半押し時に閉じるスイッチでありこのスイッチＳ１が半押し操作により閉じると抵抗Ｒ１の両端が短絡されて２本の抵抗Ｒ２，Ｒ３のみで構成される抵抗分割回路が形成される。そうすると、第２の抵抗Ｒ２と第３の抵抗Ｒ３との抵抗分割比に応じた電圧信号Ｖ１が出力分岐部ＴＥから出力されるようになり、その電圧信号が出力分岐部ＴＥに接続されている専用線１Ｄを通ってカメラヘッド１ａ側に供給される。この電圧信号Ｖ１がマウント接点を介してカメラヘッド１ａ側に供給されたら、カメラヘッド１ａ側に配備されたＡＤコンバータ１９３ａによってデジタル信号に変換され、そのデジタル信号がヘッドＣＰＵ１９ａに供給される。そのデジタル信号の供給を受けたＣＰＵ１９ａが半押し操作に応じたレリーズ信号ＳＰ１であることを検知して積算回路１６ａにＡＥ／ＡＦ処理を行なわせる。
【００７１】
また、全押し操作されたら、第１のスイッチＳ１と第２のスイッチＳ２とが閉じて抵抗Ｒ１および抵抗Ｒ２が短絡されるため、動作電圧Ｖそのものが専用線１Ｄを介してカメラヘッド１ａへ供給される。その電圧信号ＶがＡＤコンバータ１９３ａによりデジタル信号に変換されてデジタル信号がヘッドＣＰＵ１９ａに供給される。その供給を受けてヘッドＣＰＵ１９ａは、ＴＧ１８ａからＣＣＤ１２ａに露光開始信号を供給させて露光を開始させる。その後、シャッタスピードに応じた時間が経過したら、今度はＴＧ１８ａに露光終了信号を供給させて露光を終了させる。
【００７２】
このようにすると、カメラヘッド１ａとカメラ本体１ｂとを結ぶ専用線１Ｄが一本で済み、部品点数の低減によるこのカメラシステムの低廉化が図れる。
【００７３】
図７は第４の実施形態であるカメラシステムの外観を示す図である。
【００７４】
第１の実施形態では、カメラヘッド１ａをカメラ本体１ｂに直接装着して撮影を行なう場合のカメラシステム１の構成を示したが、カメラヘッド１ａを監視用としてドア付近に設置して、内部の監視装置内にカメラ本体１ｂを配置することもできる。
【００７５】
その場合には図７に示す接続用ケーブル２００によってカメラヘッド１ａとカメラ本体１ｂとを接続するようにすると、監視用カメラシステムとして活用することができる。
【図面の簡単な説明】
【００７６】
【図１】本発明の一実施形態であるカメラシステムを示す図である。
【図２】カメラヘッド１ａがカメラ本体１ｂに装着された状態にあるときの電気系統の構成を示すブロック図である。
【図３】第2の実施形態であるカメラシステムの内部の構成を示す図である。
【図４】図３に示すカメラシステム内の第１、ヘッドＣＰＵが行なうレリーズ処理の手順を示すフローチャートである。
【図５】撮影モードダイヤルの中のフルマニュアルモードが指定されたときに第１、ヘッドＣＰＵが行なうレリーズ処理の手順を示すフローチャートである。
【図６】第３の実施形態であるカメラシステムの内部の構成を示す図である。
【図７】第４の実施形態であるカメラシステムの外観を示す図である。
【符号の説明】
【００７７】
１  カメラシステム
１ａ  カメラヘッド
１００ａ    電源制御部
１０１ａ    ＤＣ／ＤＣコンバータ
１１ａ    撮影光学系
１２ａ    ＣＣＤ
１３ａ    アナログ信号処理部
１４ａ    Ａ／Ｄ部
１５０ａ    高速シリアルドライバ
１５１ａ    ３線シリアルドライバ
１６ａ    積算回路
１７ａ    絞り／フォーカス／ズーム制御部
１８ａ    ＴＧ
１９ａ    ヘッドＣＰＵ
１９０ａ    システムメモリ（ＲＯＭ／ＲＡＭ）
１９１ａ    不揮発性メモリ
１９２ａ    データバス
１ｂ    カメラ本体
１０ｂ    ヘッドマウント
１００ｂ    本体ＣＰＵ
１０１ｂ    システムメモリ
１０２ｂ    不揮発性メモリ
１０３ｂ    デジタル信号処理部
１０４ｂ    フレームメモリ
１０５ｂ    ＬＣＤ制御部
１０５０ｂ    ＬＣＤ
１０６ｂ    カードＩ／Ｆ
１０７ｂ    メモリカードスロット
１０８ｂ    メモリカード
１５０ｂ    高速シリアルドライバ
１５１ｂ    ３線シリアルドライバ
【図１】
2006174386.tif 000003
【図２】
2006174386.tif 000004
【図３】
2006174386.tif 000005
【図４】
2006174386.tif 000006
【図５】
2006174386.tif 000007
【図６】
2006174386.tif 000008
【図７】
2006174386.tif 000009